(57)【特許請求の範囲】
【請求項１】
記録媒体に記録された画像データを入力する画像入力手段と、
前記画像データを保持する保持手段と、
前記保持手段によって保持されている前記画像データのなかで印刷する画像データを選択させ、前記印刷する画像データの印刷注文内容を入力させる注文入力手段と、
前記印刷する画像データを印刷する印刷手段と、
を備える画像出力装置であって、
電子マネー機能を有する第１の非接触通信媒体、および前記第１の非接触通信媒体と異なり、かつ、電子マネー機能を有する第２の非接触通信媒体と非接触通信を行うリーダライタと、
前記印刷注文内容に応じて支払い金額を算出、表示する表示手段と、
現金による課金処理、または前記第１の非接触通信媒体との間で電子マネーによる課金決済処理を行う課金決済手段と、
前記電子マネーによる課金決済の際、前記第１の非接触通信媒体から読み取った電子マネー情報と、前記支払い金額に基づいて、支払い可能であるかを判定し、支払い不可の場合に、前記第１の非接触通信媒体は使用できないことを示す警告メッセージを前記表示手段に表示し、前記印刷注文内容を無効とせず、再度支払い方法として、現金による課金処理、または前記第２の非接触通信媒体との間で電子マネーによる課金決済処理のいずれかを選択可能とする判定手段と、
を具備することを特徴とする画像出力装置。
【請求項２】
前記非接触通信媒体は、非接触型ＩＣカードであることを特徴とする請求項１記載の画像出力装置。
【請求項３】
前記非接触通信媒体は、非接触型ＩＣカードを備えた携帯型端末であることを特徴とする請求項１記載の画像出力装置。
【請求項４】
前記印刷注文内容は、印刷種別、印刷枚数、印刷サイズのいずれかであることを特徴とする請求項１から請求項３いずれかに記載の画像出力装置。
【請求項５】
前記記録媒体は、携帯型端末に着脱可能な前記非接触通信媒体又は内蔵する前記非接触通信媒体を含むことを特徴とする請求項１から請求項４いずれかに記載の画像出力装置。
【請求項６】
コンピュータをして、
記録媒体に記録された画像データを入力する画像入力手段、
前記画像データを保持する保持手段、
前記保持手段によって保持されている前記画像データのなかで印刷する画像データを選択させ、前記印刷する画像データの印刷注文内容を入力させる注文入力手段、
前記印刷する画像データを印刷する印刷手段、
電子マネー機能を有する第１の非接触通信媒体、および前記第１の非接触通信媒体と異なり、かつ、電子マネー機能を有する第２の非接触通信媒体と非接触通信を行うリーダライタ、
前記印刷注文内容に応じて支払い金額を算出、表示する表示手段、
現金による課金処理、または前記第１の非接触通信媒体との間で電子マネーによる課金決済処理を行う課金決済手段、
前記電子マネーによる課金決済の際、前記第１の非接触通信媒体から読み取った電子マネー情報と、前記支払い金額に基づいて、支払い可能であるかを判定し、支払い不可の場合に、前記第１の非接触通信媒体は使用できないことを示す警告メッセージを前記表示手段に表示し、前記印刷注文内容を無効とせず、再度支払い方法として、現金による課金処理、または前記第２の非接触通信媒体との間で電子マネーによる課金決済処理のいずれかを選択可能とする判定手段、
として、機能させることを特徴とする画像出力装置用のプログラム。
【請求項７】
コンピュータをして、
記録媒体に記録された画像データを入力する画像入力手段、
前記画像データを保持する保持手段、
前記保持手段によって保持されている前記画像データのなかで印刷する画像データを選択させ、前記印刷する画像データの印刷注文内容を入力させる注文入力手段、
前記印刷する画像データを印刷する印刷手段、
電子マネー機能を有する第１の非接触通信媒体、および前記第１の非接触通信媒体と異なり、かつ、電子マネー機能を有する第２の非接触通信媒体と非接触通信を行うリーダライタ、
前記印刷注文内容に応じて支払い金額を算出、表示する表示手段、
現金による課金処理、または前記第１の非接触通信媒体との間で電子マネーによる課金決済処理を行う課金決済手段、
前記電子マネーによる課金決済の際、前記第１の非接触通信媒体から読み取った電子マネー情報と、前記支払い金額に基づいて、支払い可能であるかを判定し、支払い不可の場合に、前記第１の非接触通信媒体は使用できないことを示す警告メッセージを前記表示手段に表示し、前記印刷注文内容を無効とせず、再度支払い方法として、現金による課金処理、または前記第２の非接触通信媒体との間で電子マネーによる課金決済処理のいずれかを選択可能とする判定手段、
として、機能させる画像出力装置用のプログラムを記録したことを特徴とする記録媒体。
【発明の詳細な説明】
【技術分野】
【０００１】
本発明は、利用者が持ち込んだ記録媒体の画像データを印刷する画像出力装置に関し、特に、電子マネー決済機能を有する画像出力装置に関する。
【背景技術】
【０００２】
近年、利用者が持ち込んだ記録媒体に記録されているデジタルカメラの画像データをプリントすることができる比較的小規模の画像プリントシステム（画像出力装置）が実用化されている（特許文献１）。
【０００３】
また、自動販売機、コンビニエンスストア、改札などで利用されているプリペイドカードや、電子マネーを記憶する非接触型ＩＣカードなど、現金の代わりに携帯型情報記録媒体を利用した取引が行われている。更に、非接触型ＩＣカードの技術進歩に伴い、ＳＩＭ（Ｓｕｂｓｃｒｉｂｅｒ  Ｉｄｅｎｔｉｔｙ  Ｍｏｄｕｌｅ）、ＵＩＭ（Ｕｓｅｒ  Ｉｄｅｎｔｉｔｙ  Ｍｏｄｕｌｅ）などの携帯電話機に着脱可能な非接触型ＩＣカードを備え、電子マネーによる支払いを可能とした電子マネー機能付きの携帯電話機が実用化されている。携帯型情報記憶媒体とは、ＩＣと、外部端末及びＩＣ間の通信を媒介する通信部及びインタフェースなどとを備える携帯型の情報処理装置である。
【０００４】
【特許文献１】特開２００４−２６８４３１号公報
【発明の開示】
【発明が解決しようとする課題】
【０００５】
しかしながら、従来の画像出力装置においては、店頭における支払いと自画像出力装置のセルフ課金機による現金支払いを提供している。画像出力装置の課金機での現金支払いの場合、課金機の仕様により一度に清算できる金額の限度があるため、印刷注文の前に後から清算できないということがないように、予め注文操作を制限していた。
【０００６】
また、現金と電子マネーによる支払いを可能とした場合、利用者への利便性を考慮すると、印刷注文内容（支払い金額）の確定後に、現金／電子マネーによる支払い方法を選択すること、また、電子マネーは、種類、契約形態により使用できる上限が異なり、プリペイドカードの場合、時により入っている金額が違い、目に見えないので利用者も使用前に現在いくら使えるのか把握していない場合が多い。印刷種別、印刷枚数、印刷サイズなどの印刷注文内容を多数の画像に対して指定し、電子マネーによる支払いを選択し、残高不足などのエラーが発生し支払い不可である場合、注文内容が無効にならず、支払い方法を現金や別の電子マネーに変更できることが望ましい。
【０００７】
更に、利用者による画像プリントの意欲を促し、販売促進の実現が望まれており、例えば、割引のキャンペーンサービスを行ったりする。従来の課金機は１０円以下が取り扱えないので、単価の低いプリント価格は、割引し難くかった。
【０００８】
本発明は、以上の点に鑑みてなされたものであり、利用者の利便性を向上させた電子マネー決済を可能とする画像出力装置等を提供することを目的とする。
【課題を解決するための手段】
【０００９】
前述した目的を達成するために第１の発明は、記録媒体に記録された画像データを入力する画像入力手段と、前記画像データを保持する保持手段と、前記保持手段によって保持されている前記画像データのなかで印刷する画像データを選択させ、前記印刷する画像データの印刷注文内容を入力させる注文入力手段と、前記印刷する画像データを印刷する印刷手段と、を備える画像出力装置であって、電子マネー機能を有する第１の非接触通信媒体、および前記第１の非接触通信媒体と異なり、かつ、電子マネー機能を有する第２の非接触通信媒体と非接触通信を行うリーダライタと、前記印刷注文内容に応じて支払い金額を算出、表示する表示手段と、現金による課金処理、または前記第１の非接触通信媒体との間で電子マネーによる課金決済処理を行う課金決済手段と、前記電子マネーによる課金決済の際、前記第１の非接触通信媒体から読み取った電子マネー情報と、前記支払い金額に基づいて、支払い可能であるかを判定し、支払い不可の場合に、前記第１の非接触通信媒体は使用できないことを示す警告メッセージを前記表示手段に表示し、前記印刷注文内容を無効とせず、再度支払い方法として、現金による課金処理、または前記第２の非接触通信媒体との間で電子マネーによる課金決済処理のいずれかを選択可能とする判定手段と、を具備することを特徴とする画像出力装置である。
【００１０】
また、前記非接触通信媒体は、非接触型ＩＣカードであることが望ましい。
また、前記非接触通信媒体は、非接触型ＩＣカードを備えた携帯型端末であることが望ましい。
また、前記印刷注文内容は、印刷種別、印刷枚数、印刷サイズのいずれかであることが望ましい。
また、前記記録媒体は、携帯型端末に着脱可能な前記非接触通信媒体又は内蔵する前記非接触通信媒体を含むことが望ましい。
【００１１】
「非接触通信媒体」は、「非接触型ＩＣカード」、「非接触型ＩＣカードを備える携帯型端末」等である。「非接触型ＩＣカード」は、カード内部にアンテナの役目を果たすコイルが内蔵されており、端末のリーダ／ライタから発生している磁界にカードをかざすと無線通信でデータのやりとりができる。携帯型端末に
備えた非接触通信媒体には、ＳＩＭ（Ｓｕｂｓｃｒｉｂｅｒ  Ｉｄｅｎｔｉｔｙ  Ｍｏｄｕｌｅ）、ＵＩＭ（Ｕｓｅｒ  Ｉｄｅｎｔｉｔｙ  Ｍｏｄｕｌｅ）などがある。
【００１２】
第１の発明では、画像出力装置において、自装置の現金による支払い、あるいはＩＣカードや携帯電話を用いて電子マネーによる支払いを可能とする。
また、印刷注文内容（支払い金額）の確定後に、現金／電子マネーによる支払い方法を選択することや、電子マネーの残高が足りなかった場合、注文内容が無効にならず、支払い方法を現金／別の電子マネーによる支払いに変更することを可能とし、利用者の利便性を向上させるという効果を奏する。
更に、電子マネーによる支払いを可能とすることにより、自装置でも１円単位での取り扱いを可能とし、単価の低いプリントにおいて１円単位の割引のキャンペーンができ、顧客にとって魅力の多いポイント・キャンペーンサービスシステムを提供可能となると共に、店舗側にとっても顧客に対して有効的な販売促進効果が得られる。
【００１３】
第２の発明は、コンピュータをして、記録媒体に記録された画像データを入力する画像入力手段、前記画像データを保持する保持手段、前記保持手段によって保持されている前記画像データのなかで印刷する画像データを選択させ、前記印刷する画像データの印刷注文内容を入力させる注文入力手段、前記印刷する画像データを印刷する印刷手段、電子マネー機能を有する第１の非接触通信媒体、および前記第１の非接触通信媒体と異なり、かつ、電子マネー機能を有する第２の非接触通信媒体と非接触通信を行うリーダライタ、前記印刷注文内容に応じて支払い金額を算出、表示する表示手段、現金による課金処理、または前記第１の非接触通信媒体との間で電子マネーによる課金決済処理を行う課金決済手段、前記電子マネーによる課金決済の際、前記第１の非接触通信媒体から読み取った電子マネー情報と、前記支払い金額に基づいて、支払い可能であるかを判定し、支払い不可の場合に、前記第１の非接触通信媒体は使用できないことを示す警告メッセージを前記表示手段に表示し、前記印刷注文内容を無効とせず、再度支払い方法として、現金による課金処理、または前記第２の非接触通信媒体との間で電子マネーによる課金決済処理のいずれかを選択可能とする判定手段、
として、機能させることを特徴とする画像出力装置用のプログラムである。
第３の発明は、コンピュータをして、記録媒体に記録された画像データを入力する画像入力手段、前記画像データを保持する保持手段、前記保持手段によって保持されている前記画像データのなかで印刷する画像データを選択させ、前記印刷する画像データの印刷注文内容を入力させる注文入力手段、前記印刷する画像データを印刷する印刷手段、電子マネー機能を有する第１の非接触通信媒体、および前記第１の非接触通信媒体と異なり、かつ、電子マネー機能を有する第２の非接触通信媒体と非接触通信を行うリーダライタ、前記印刷注文内容に応じて支払い金額を算出、表示する表示手段、現金による課金処理、または前記第１の非接触通信媒体との間で電子マネーによる課金決済処理を行う課金決済手段、前記電子マネーによる課金決済の際、前記第１の非接触通信媒体から読み取った電子マネー情報と、前記支払い金額に基づいて、支払い可能であるかを判定し、支払い不可の場合に、前記第１の非接触通信媒体は使用できないことを示す警告メッセージを前記表示手段に表示し、前記印刷注文内容を無効とせず、再度支払い方法として、現金による課金処理、または前記第２の非接触通信媒体との間で電子マネーによる課金決済処理のいずれかを選択可能とする判定手段、として、機能させる画像出力装置用のプログラムを記録したことを特徴とする記録媒体である。
【００１４】
上述のプログラムをＣＤ−ＲＯＭ等の記録媒体に保持させて流通させてもよいし、このプログラムを通信回線を介して送受することもできる。
【発明の効果】
【００１５】
本発明は、以上の点に鑑みてなされたものであり、利用者の利便性を向上させた電子マネー決済を可能とする画像出力装置等を提供することができる。
【発明を実施するための最良の形態】
【００１６】
以下に、添付図面を参照しながら、本発明に係る画像出力装置等の好適な実施形態について詳細に説明する。尚、以下の説明および添付図面において、略同一の機能構成を有する構成要素については、同一の符号を付することにより重複説明を省略することにする。
【００１７】
まず、図１を参照しながら、本発明の実施の形態に係る画像出力装置１のシステム構成について説明する。
図１は、画像出力装置１の構成を示すブロック図である。
【００１８】
画像出力装置１は、画像データ読込手段１０１、画像編集合成手段１０２、プリント手段１０３、プリント注文入力手段１０４、課金決済手段１０５等を備える。
【００１９】
画像データ読込手段１０１は、予め画像データが記録された入力メディア１２１から画像データ１１を取得し記憶部３０２に保持する。
入力メディア１２１は、例えば、スマートメディア、コンパクトフラッシュ（登録商標）、ミニＳＤ（ｓｅｃｕｒｅ  ｄｉｇｉｔａｌ）カード、ＳＤメモリカード、メモリスティック、コンパクトディスク等である。
尚、本実施の形態では、画像データ読込手段１０１として、入力メディア１２１から画像データを読み取る手段のみを示しているが、スキャナ装置や撮影装置を装備し、スキャナ装置により画像データを読み取る手段や、被写体をデジタルカメラ等の撮影装置により撮像し、画像データを読み取る手段を備えるようにしてもよい。
また、入力メディア１２１として、携帯型端末１２９に備えた非接触型ＩＣカード部１２８をサポートし、ＩＣカードのリーダライタ２０６を用いて、非接触型ＩＣカード部１２８のメモリ部５１４に保存した画像データを読み取る手段を備えるようにしてもよい。
【００２０】
画像編集合成手段１０２は、一つ以上の入力、または選択した画像に対して、落書き、スタンプのような加工、画像データの切抜き、変倍、切り抜いた画像の他の画像への貼り付け等、合成編集等を対話的に行う対話型インタフェース手段と、画像処理プログラムで構成される。加工は合成編集を扱う画像データとしては、記憶部３０２に記憶する素材画像データ、フレーム画像等の素材データ１２を使用することができる。
【００２１】
プリント手段１０３は、画像データを印刷する高解像度カラープリンタであり、プリント物１２３を印刷する。昇華型あるいはインクジェット型など、プリンタの方式は問わない。また、プリント手段１０３は印刷に先立ち、画像データに対する画像処理も行う。プリント物１２３は、デジタルカメラ画像デジタルカメラ画像等の写真や、シールプリント、はがき等である。
【００２２】
利用者は、プリント注文入力手段１０４を通じて、印刷を注文する画像データを選択する。プリント注文入力手段１０４は、例えば、液晶ディスプレイやＣＲＴ（ｃａｔｈｏｄｅ−ｒａｙ  ｔｕｂｅ）等の表示手段と一体化されたタッチパネルや、キーボード、マウス、トラックボール等の各種ポインタを用いることができる。
プリント注文入力手段１０４は、画像データ読取手段１０１によって取得された画像データのサムネイル画像を表示し、プリント種別や印刷枚数、プリントサイズ、画像処理等の指定を可能とし、指定した注文内容情報１３を記憶部３０２に保存する。利用者は、タッチパネルや各種ポインタを使用して、これらの指定を行うことができる。
【００２３】
課金決済手段１０５は、利用者によるプリント物の注文内容情報１３に応じた料金を算出し、利用者に支払いを要求する。本画像出力装置１による現金１２５による課金処理、または非接触通信媒体であるＩＣカード１２７または携帯型端末１２９（例えば携帯電話機）に備えた非接触型ＩＣカード部１２８との間で電子マネーによる課金決済処理を行う。ＩＣカード１２７や非接触型ＩＣカード部１２８には、電子マネー機能のアプリケーションプログラム、電子マネー情報を有する。
通常、この課金決済手段１０５による利用者の課金決済が完了してからプリント手段１０３が起動され、注文された画像データの画像処理および印刷を開始する。
【００２４】
次に、図２を参照しながら、画像出力装置１の外観構成について説明する。図２は、画像出力装置１の１例に関する概略斜視図である。
【００２５】
図２に示すように、画像出力装置１の上部正面には、タッチパネル付きの液晶ディスプレイ等のディスプレイ画面２０１が配置されている。タッチパネル付きディスプレイ２０１は、操作の案内や操作の状況、読み込んだ画像データのサムネイル画像表示等を表示する表示手段としての機能を持つとともに、利用者に印刷する写真や印刷サイズ、画像処理等をタッチパネルに触れることで選択させる入力手段としての機能を持つ。
また、ディスプレイ画面２０１の横には、リーダライタ２０６が設けられる。リーダライタ２０６は、ＩＣカード１２７や携帯型端末１２９に備えた非接触型ＩＣカード部１２８に対して、非接触通信を行い、電子マネー情報の読み書きを行う。
【００２６】
タッチパネル付きディスプレイ２０１の下部には、メディア投入口２０３が設けられる。メディア投入口２０３は、各種メディア（スマートメディア、コンパクトフラッシュ（登録商標）、ミニＳＤ（ｓｅｃｕｒｅ  ｄｉｇｉｔａｌ）カード、ＳＤメモリカード、メモリスティック、コンパクトディスク等）の挿入口であり、複数の挿入口が１箇所にまとめて配置されている。
また、画像出力装置１の筐体内には、上記の各記録媒体の挿入口に対応して、それぞれの媒体の読取・書込み装置の本体（図示しない）が設置されている。各挿入口には、料金の徴収が完了するまで記録媒体を取り出せないようにシャッター（図示しない）を備えてもよい。
【００２７】
画像出力装置１の下段部には、料金投入口（硬貨投入口２０５、紙幣挿入口２０７）、つり銭返却口２０９、レシート取出口２１５、プリント物取出口２１１、メンテナンスキー２１３、ドア開閉キー２１７等がそれぞれ配置されている。
【００２８】
料金投入口（２０５、２０７）、つり銭返却口２０９、レシート取出口２１５は、課金手段として機能する。
利用者は、硬貨投入口２０５に硬貨を投入したり、紙幣挿入口２０７に紙幣を挿入することにより料金を支払う。釣銭がある場合にはつり銭返却口２０９から放出される。
また、料金徴収後、徴収金額や注文内容等が印刷されたレシートがレシート取出口２１５から放出される。画像出力装置１の筐体内には、レシート取出口２１５に対応してレシート印刷用プリンタが設けられている。
【００２９】
プリント物取出口２１１からは印刷済みのプリント物が放出される。図２では、プリント物取出口２１１が３つ装備されている（２１１−１、２１１−２、２２１−３）。通常、画像出力装置１の筐体内には、複数枚の画像プリントを同時に行えるよう複数のプリンタ本体（図示しない）がプリント物取出口２１１につながる位置に設置されている。図２の場合、３台のプリンタに対応して３つのプリント物取出口（２１１−１、２１１−２、２１１−３）を備えている。
【００３０】
利用者は、タッチパネル付きディスプレイ２０１に設けられたタッチパネルにより画像の選択やプリントの実行を指示し、指示に従ってプリンタ本体によって印刷され、プリント物取出口２１１から放出されるプリント物１２３を受け取る。
【００３１】
メンテナンスキー２１３は、利用者が画像出力装置１を利用可能な運転モードと、管理者が画像出力装置１のメンテナンスや設定、レシートの再印刷等を行う管理モードを切り替えるキーである。
【００３２】
また、画像出力装置１の筐体内には、図示しないが、画像出力装置１の各構成部分を制御するための制御部を含むパソコンや、電圧の変換を行う電源ボックス、停電時に制御部のＣＰＵやハードディスク等の破損を防ぐ無停電電源装置等が設けられる。
【００３３】
次に、図３を参照しながら、画像出力装置１のハードウェア構成について説明する。
画像出力装置１は、制御部３０１、記憶部３０２、入出力部３０３（ＣＤ−ＲＯＭドライブ装置、キーボード、マウス等）、通信部３０４、各種メディア読取部３０５、シャッター３０６、モニタ（タッチパネル付き）３０７、コインメック３０８、ビルバリ３０９、レシートジャーナル処理部３１０、プリンタ３１１、リーダライタ部３１２等がバス３１９を介して接続される。
【００３４】
制御部３０１は、プログラムの実行を行うＣＰＵ（ｃｅｎｔｒａｌ  ｐｒｏｃｅｓｓｉｎｇ  ｕｎｉｔ）と、プログラム命令あるいはデータ等を格納するためのＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）等で構成される。制御部３０１は、記憶部３０２等に格納されたプログラムに従って、バス３１９を介して接続された各装置を制御する。
【００３５】
記憶部３０２には、制御部３０１が実行するプログラム、プログラム実行に必要なデータ、ＯＳ（オペレーティングシステム）等が格納される。各構成部分を制御する制御プログラム、例えば、画像入力プログラム、シャッターの開閉制御プログラム、課金決済処理プログラム、プリンタ制御用プログラム、レシート印刷処理プログラム、保守プログラム、後述するプリント時間算出処理プログラム等のプログラムや、画像データ１１、素材データ１２、注文内容情報１３等の各種制御データが格納されている。
【００３６】
これらのプログラム・コードは、制御部３０１により必要に応じて読み出され、ＲＡＭに移され、ＣＰＵに読み出されて各種機能として実行される。
【００３７】
入出力部３０３（ＣＤ−ＲＯＭドライブ装置、キーボード、マウス等）は、制御部３０１のＲＯＭや記憶部３０２に格納されているプログラムや情報を更新したり、画像出力装置１の動作等の設定を行う画像出力装置１のメンテナンス時に用いられる。メンテナンスキー２１３により管理モードに切り替えて、入出力部３０３にプログラム更新用のＣＤ−ＲＯＭを挿入し、データの書き換えを行ったり、設定データを入力することによりメンテナンスを実行する。
【００３８】
通信部３０４は、インターネットやＰＨＳ等の通信機能を持つもので、画像出力装置１の各種ログ情報や統計情報等を管理会社に送信したり、プログラム更新を行う場合に更新ソフトウエアを受信したりする。
【００３９】
各種メディア読取部３０５は、画像入力機能の役割を果たす。シャッター３０６は、各記録媒体挿入口に設けられ、記録媒体の挿入口を開閉し、読取処理の最中や、課金処理が完了するまで、記録媒体を取り出せないようにする。
【００４０】
利用者は、モニタ３０７に表示された操作案内に従って、モニタ３０７に設置されたタッチパネルに触れることにより、画像入力時の画像選択や、プリント指示、支払い方法選択、プリント物出力までの一連の操作を行える。
【００４１】
コインメック３０８、ビルバリ３０９、レシートジャーナル処理部３１０は、課金機能の役割を果たす。コインメック３０８は硬貨投入口２０５に対応して画像出力装置１の内部に設けられ、硬貨の入出力を管理する。また、ビルバリ３０９は、紙幣挿入口２０７に対応して画像出力装置１の内部に設けられ、紙幣の入出力を管理する。また、レシートジャーナル処理部３１０は、レシート取出口２１５に対応して画像出力装置１の内部に設けられ、レシート印刷を行う。
【００４２】
プリンタ３１１は、利用者により選択され、プリント指示が行われた画像データの印刷出力処理を行う。画像出力装置１には、複数枚の画像を同時に印刷し、印刷時間の短縮を図るため、１または複数台のプリンタ３１１（同図ではプリンタ１（３１１−１）、プリンタ２（３１１−２）、プリンタ３（３１１−３）の３台、）が備えられる。
【００４３】
リーダライタ部３１２は、非接触型アンテナ３１３と接続され、ＩＣカード１２７や携帯型端末１２９に備えた非接触型ＩＣカード部１２８と無線通信でデータのやりとりを行い、電子マネー情報の読み取り処理、及び書き込み処理を行う。
また、本実施の形態では、リーダライタ部３１２は、電子決済機能の役割を果たし、電子マネー情報の読み取り、書き込みを行うが、更に、画像入力機能の役割として、非接触型ＩＣカード部１２８に保存する画像データを読み取るようにしてもよい。
【００４４】
次に、図４を参照しながら、非接触通信媒体の１例である携帯型端末１２９に備えた非接触型ＩＣカード部１２８のハードウェア構成を説明する。図４は、携帯型端末１２９及び非接触型ＩＣカード部１２８のハードウェア構成図である。
利用者１０４の携帯型端末１２９は、非接触型ＩＣカード部１２８を搭載した、携帯電話機である。携帯型端末１２９は、制御部４０１、記憶部４０２、送受話部４０３、送受信部４０４、入力部４０５、表示部４０６、ＩＣカードＩ／Ｆ部４０７、アンテナ４１０、非接触型ＩＣカード部１２８等からなる。
【００４５】
制御部４０１は、ＣＰＵ、ＲＯＭ、ＲＡＭ等で構成され、記憶部４０２に格納されたプログラムに従って、各装置を駆動制御する。
【００４６】
記憶部４０２には、各構成部分を駆動制御する制御プログラムが格納される。
【００４７】
これらの各プログラムコードは、制御部４０１により必要に応じて読み出されてＲＡＭに移され、ＣＰＵに読み出されて各種の手段として実行される。
【００４８】
送受信部４０４は、携帯型端末１２９とネットワーク１０９間の通信を媒介する通信インタフェースである。
入力部４０５は、データの入力を行い、例えば、操作キー、操作ボタン等であり、表示部４０６（液晶ディスプレイ）に表示された操作案内、各種処理、操作を行う。
ＩＣカードＩ／Ｆ部４０７は、非接触型ＩＣカード部１２８と接触端子を通じてデータの授受を行うことにより通信を行うための接続部である。
【００４９】
非接触型ＩＣカード部１２８は、カード内部にアンテナの役目を果たすコイルが内蔵されており、リーダライタから発生している磁界にカードをかざすと無線通信でデータのやりとりを行う。非接触型ＩＣカード部１２８は、データの読み書きができる距離や通信方式の違いによって、より細かく分類されている。まず距離の違いによって「密着型（〜２ｍｍ）」「近接型（〜１０ｍｍ）」「近傍型（〜７０ｍｍ）」などのタイプがあり、また、通信方式の違いによってＴｙｐｅ Ａ、Ｔｙｐｅ Ｂ、ＦｅｌｉＣａ（商標）方式の３タイプがある。
【００５０】
非接触型ＩＣカード部１２８は、制御部５０１、メモリ部５０２、接触Ｉ／Ｆ部５０３、非接触型ＩＣ無線通信部５０４、非接触型ＩＣアンテナ５０５等からなる。
制御部５０１は、ＣＰＵ、ＲＯＭ、ＲＡＭ等で構成され、メモリ部５０２に格納されたプログラムに従って、非接触型ＩＣカード部１２８を駆動制御する。
メモリ部５０２は、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）からなり、データ記憶領域である。
接触Ｉ／Ｆ部５０３は、携帯型端末１２９のＩＣカードＩ／Ｆ部４０７を介してデータにより接触通信を行う。
非接触型ＩＣ無線通信部５０４は、非接触型ＩＣアンテナ５０５を介して画像出力装置１のリーダライタ部３１２との非接触通信を行う。
【００５１】
図５は、非接触型ＩＣカード部１２８のデータ構造の一態様を示す図である。
図５に示すように、非接触型ＩＣカード部１２８は、ＣＰＵ５１１、ＲＯＭ５１２、ＲＡＭ５１３、ＥＥＰＲＯＭ５１４等からなる。
【００５２】
ＲＯＭ５１２には、アプリケーションの追加・削除が可能なプラットフォーム型ＯＳを格納する。
ＥＥＰＲＯＭ５１４には、プラットフォーム型ＯＳに対応したアプリケーション５１５を複数搭載可能とする。例えば、アプリケーション５１５として、電子マネーサービスアプリケーションプログラム、電子マネー情報、認証情報等を搭載、格納する。
【００５３】
尚、非接触型ＩＣカード部１２８のデータ構造は、この構成に限られるものではない。
また、この非接触型ＩＣカード部１２８は、携帯型端末１２９から脱着可能に設けられてもよい。
【００５４】
次に、図６、７、８、９、１０を参照しながら、画像出力装置１の動作について詳しく説明する。
図６は、画像出力装置１の処理動作を示すフローチャートである。
【００５５】
画像出力装置１の制御部３０１は、モニタ３０７（２０１）上にサービス内容、手順、案内等を示すメニュ画面を表示し、利用者に機能を選択させる（ステップ６０１）。例えば、利用者は、サービス（その場プリント、インデックスプリント、フレームプリント等）、入力メディア（スマートメディア、コンパクトフラッシュ（登録商標）、ミニＳＤ（ｓｅｃｕｒｅ  ｄｉｇｉｔａｌ）カード、ＳＤメモリカード、メモリスティック、コンパクトディスク等）、支払い方法（店頭精算、画像出力装置１によるセルフ精算）等を選択する。
【００５６】
図８は、支払い方法選択画面８０の１例を示す図である。
図８に示すように、支払い方法選択画面８０には、画像出力装置１によるセルフ支払い８１と店頭支払い８２を表示し、選択させる。セルフ支払い８１は、自画像出力装置１で、現金または電子マネー（ＩＣカード１２７や非接触型ＩＣカード部１２８を備えた携帯型端末１２９）による支払いを行う。店頭支払い８２は、店頭にてプリント物１２３と引き換えに代金を支払う。尚、電子マネー支払いの場合、複数の電子マネーの種類から選択可能とする。
利用者によりサービス内容、支払い方法が指定されると、指定された情報を記憶部３０２に設定する。
【００５７】
画像出力装置１の制御部３０１は、利用者が持参した入力メディア１２１をメディア投入口２０３に挿入すると、画像データ読込手段１０１を起動し、各種メディア読み取り部３０５の当該入力メディア１２１に適合するメディア読み取り部を起動し、挿入された入力メディア１２１の画像データを取得する（ステップＳ６０２）。取得された画像データは、記憶部３０２の画像データ１１に格納される。
【００５８】
制御部３０１は、プリント注文入力手段１０４により、取得された画像データのサムネイル画像をモニタ３０７（２０１）に表示し、利用者にプリントする画像の選択と、各選択画像のプリント枚数を指定させ、さらに、プリントサイズや画像調整等のプリント注文内容の指定を行わせる（ステップＳ６０３）。
【００５９】
図９は、サムネイル画面８５の１例を示す図である。利用者が挿入したメディアから取得した画像データのサムネイル画像（００１〜０１５）がモニタ３０７（２０１）上に表示される。
利用者は、プリントしたい画像のプリント枚数を例えば、「＋」あるいは「−」の部分のタッチパネルに触れることにより設定する。利用者により設定された枚数が、注文枚数として表示される。
【００６０】
サムネイル画面８５には、例えば、サムネイル画像を拡大したいときに使用する「拡大」ボタン８８や、プリントサイズ選択用のボタン８７、画像調整を指定する場合に押すボタン８６、プリント枚数設定完了後に押す「お支払いへ」等のボタン８９が設けられる。これらのタッチパネル・ボタンに触れることにより、対応する処理が実行される。
利用者によりプリント画像とその枚数、プリントサイズ、画像調整等が指定されると、プリント注文入力手段１０４は、利用者が選択したプリント画像のサムネイル番号と、プリントサイズ、プリント枚数、画像調整の設定等からなる注文内容情報１３を記憶部３０２内に格納する。
【００６１】
ユーザが「お支払いへ」ボタン８９を押した場合、画像出力装置１の制御部３０１は画像編集合成手段１０２により、素材データ１２を用いて、ユーザの指示に基づいて画像の加工、編集、合成等を行う（ステップＳ６０４）。
画像の加工、編集、合成は、例えば、入力画像と日付データの合成、入力画像とフレーム画像の合成、拡大、縮小等である。
【００６２】
画像出力装置１の制御部３０１は、支払い方法が「店頭精算」の場合は（ステップＳ６０５のＮｏ）、必要に応じて引換券発行処理を行い（ステップＳ６０７）、ステップＳ６０８の画像処理へ移行する。支払い方法が「セルフ精算」の場合（ステップＳ６０５のＹｅｓ）、課金決済手段１０５によりユーザの注文内容に応じて現金による課金処理、あるいは電子マネーによる課金決裁処理を行う（ステップＳ６０６）。
【００６３】
次に、図７、図１０を参照しながら、課金決済手段１０５による課金決済処理（ステップＳ６０６）について詳しく説明する。
図７は、課金決済処理の処理動作を示すフローチャートである。
図１０は、課金決済処理における画面遷移図の１例を示す図である。
【００６４】
画像出力装置１の制御部３０１は、プリント枚数９３、プリントサイズ、サービス内容（プリント物種別）等の注文内容情報１３に応じて合計金額を算出し、利用者に支払い金額９４、プリント枚数９３を表示し、現金か電子マネーによる支払い方法を選択させる支払い選択画面９０をモニタ３０７（２０１）に表示する（ステップＳ７０１）。
【００６５】
支払い選択画面９０には、「現金支払い」ボタン９１、「電子マネー支払い」ボタン９２、プリント枚数９３、支払い金額９４等が表示される。
利用者は、支払い金額等を確認後、「現金支払い」ボタン９１か「電子マネー支払い」ボタン９２を押し、支払い方法を選択する。
【００６６】
「電子マネー支払い」ボタン９２を押した場合（ステップＳ７０２のＹｅｓ）、制御部３０１は、電子マネーによる決済処理を実行する。電子マネー支払い方法は、複数の電子マネーの種類（「電子マネー１」、「電子マネー２」等）の中から選択可能とする。電子マネーの種類には、例えば、ｉＤ（登録商標、以下省略）、Ｅｄｙ（登録商標、以下省略）等がある。
すなわち、電子マネー読み取り画面９７をモニタ３０７（２０１）に表示し、利用者に携帯型端末１２９（またはＩＣカード１２７）をリーダライタ２０６（３１２）にかざすこと促す。携帯型端末１２９（またはＩＣカード１２７）をリーダライタ２０６（３１２）にかざすことにより、制御部３０１は、リーダライタ部３１２を介して、非接触型ＩＣカード部１２８（またはＩＣカード１２７）の接近を検出すると、非接触型ＩＣカード部１２８に検出信号を送信し、非接触型ＩＣカード部１２８の電子マネー情報を読み取り、取得する（ステップＳ７０３）。制御部３０１は、取得した電子マネー情報（電子マネー残高、利用限度額等）と、支払い金額９４に基づいて、電子マネー残高などをチェックし、支払い可能か否か判定する（ステップＳ７０４）。
【００６７】
電子マネー残高不足などのエラーが発生し支払い不可の場合（ステップＳ７０４のＮｏ）、「このカードは使用できません」などの警告メッセージをモニタ３０７（２０１）に表示し、印刷注文内容を無効とせず、ステップＳ７０１の処理に移行し、再度支払い方法（現金、または別の電子マネーによる支払い）を選択可能とする。
支払い可能であれば（ステップＳ７０４のＹｅｓ）、制御部３０１は、リーダライタ部３１２を介して、非接触型ＩＣカード部１２８（またはＩＣカード１２７）に対して、電子マネー残高の更新、書き込み処理を行う。電子マネーによる決済処理が終了すると、制御部３０１は、プリント手段１０３を起動し、プリント処理を開始する。
【００６８】
「現金支払い」ボタン９１を押した場合（ステップＳ７０２のＮｏ）、制御部３０１は、現金による課金処理を実行する（ステップＳ７０６）。すなわち、料金投入画面９６をモニタ３０７（２０１）に表示し、利用者に代金の投入を促す。利用者が料金を硬貨投入口２０５や紙幣挿入口２０７から投入し、投入金額が合計金額を上回ると、制御部３０１は、プリント手段１０３を起動し、プリント処理を開始する。
【００６９】
画像出力装置１の制御部３０１は、色修正、リサイズ、トリミング、レイアウト、文字・ロゴ合成等の画像処理を行い（ステップＳ６０８）、画像処理した画像データをハードディスク３０２等に保持し、画像出力をプリンタ３１０−１、３１０−２、３１０−３に振り分け、プリンタ３１１（３１１−１、３１１−２、３１１−３）に各印刷画像データを送り、各プリンタ３１１で印刷処理が実行され、プリント物１２３をプリント物取出口２１１に出力する（ステップＳ６０９）。
【００７０】
以上説明したように、本発明の実施の形態によれば、画像出力装置１は、画像データ読込手段１０１により、入力メディアから画像データを取得し、記憶部３０２に保持し、プリント注文入力手段１０４により入力された印刷枚数、プリントサイズ等に応じて算出した支払い金額９４、プリント枚数９３を表示し、現金か電子マネーによる支払い方法を選択させる。課金決済手段１０５により画像出力装置１による現金による課金処理、またはＩＣカードとの間で電子マネーによる課金決済処理を行う。ＩＣカードから読み取った電子マネー情報と、支払い金額９４に基づいて支払い可能であるかを判定し支払い不可の場合、プリント注文内容を無効とせず、再度支払い方法を選択可能とする。課金決済が完了してからプリント手段１０３によりプリンタを稼動して画像データの印刷処理を行う。
【００７１】
これにより、画像出力装置において、自装置の現金による支払い、あるいはＩＣカードや携帯電話を用いて電子マネーによる支払いを可能とする。
また、印刷注文内容（支払い金額）の確定後に、現金／電子マネーによる支払い方法を選択すること、電子マネーの残高が足りなかった場合、注文内容が無効にならず、支払い方法を現金／別の電子マネーによる支払いに変更することを可能とし、利用者の利便性を向上させるという効果を奏する。
更に、電子マネーによる支払いを可能とすることにより、自装置でも１円単位での取り扱いを可能とし、単価の低いプリントにおいて１円単位の割引のキャンペーンができ、顧客にとって魅力の多いポイント・キャンペーンサービスシステムを提供可能となると共に、顧客に対して有効的な販売促進効果が得られる。
【００７２】
尚、本実施の形態では、ＩＣカードのリーダライタ部３１２（２０６）を用いて、携帯型端末１２９（携帯電話機）に備えた非接触型ＩＣカード部１２８に対して電子決済処理を行うが、更に、リーダライタ部３１２（２０６）を用いて、入力メディアの１つとして、画像データを読み取る手段を備えるようにしてもよい。
すなわち、画像出力装置１において、入力メディア１２１の種類を選択するメニュ画面で非接触型ＩＣカードを選択し、リーダライタ２０６に携帯型端末１２９をかざすことで、非接触型ＩＣカード部１２８に保存されている画像データを読み取る。この場合、予め、携帯型端末１２９（携帯電話機）に備えた非接触型ＩＣカード部１２８に、携帯型端末１２９の記憶部４０２内に保存されている画像データを自メモリ部５１４に選択、保存するアプリケーションプログラムを格納しておき、該アプリケーションプログラムを実行することにより、携帯型端末１２９の記憶部４０２内の画像データを非接触型ＩＣカード部１２８のメモリ部５１４に選択、保存しておくことで可能となる。
【００７３】
尚、図６、図７等に示す処理を行うプログラムはＣＤ−ＲＯＭ等の記録媒体に保持させて流通させてもよいし、このプログラムを通信回線を介して送受することもできる。
【００７４】
以上、添付図面を参照しながら、本発明に係る画像出力装置等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００７５】
【図１】本発明の本実施の形態に係る画像出力装置１の構成を示すブロック図
【図２】画像出力装置１の外観斜視図
【図３】画像出力装置１のハードウェア構成図
【図４】携帯型端末１２９及び非接触型ＩＣカード部１２８のハードウェア構成図
【図５】非接触型ＩＣカード部１２８のデータ構造の一態様を示す図
【図６】画像出力装置１の動作を示すフローチャート
【図７】課金決済処理の処理動作を示すフローチャート
【図８】支払い方法選択画面８０の１例を示す図
【図９】サムネイル画面８５の１例を示す図
【図１０】課金決済処理における画面遷移図の１例を示す図
【符号の説明】
【００７６】
１………画像出力装置
１０１………画像データ読込手段
１０２………画像編集合成手段
１０３………プリント手段
１０４………プリント注文入力手段
１０５………課金決済手段
１０７………非接触型ＩＣカード
１２１………入力メディア
１２３………プリント物
１２５………現金
１２７………ＩＣカード
１２８………非接触型ＩＣカード部
１２９………携帯型端末
２０６………リーダライタ
１２２………個人情報領域
３０１、４０１、５０１………制御部
３０２、４０２、５０２………記憶部
３１２………リーダライタ部
【図１】
0005407160.tif 000002
【図２】
0005407160.tif 000003
【図３】
0005407160.tif 000004
【図４】
0005407160.tif 000005
【図５】
0005407160.tif 000006
【図６】
0005407160.tif 000007
【図７】
0005407160.tif 000008
【図８】
0005407160.tif 000009
【図９】
0005407160.tif 000010
【図１０】
0005407160.tif 000011